(57)【要約】【課題】局側終端装置の消費電力を低減すること。【解決手段】制御部１６０は、ＴＥＣコントローラ１５５に設定する目標温度を変更して、ＯＮＵからの受光電力情報ＳＩで示される受光電力を確認することで、全てのＯＮＵにおける受光電力が予め定められた第１閾値以上となる目標温度の範囲である目標温度範囲を特定するとともに、目標温度範囲内の温度を最適な目標温度として、ＴＥＣコントローラ１５５に設定する。【選択図】図４
2018056735.tif 000002
【特許請求の範囲】
【請求項１】
複数の加入者側装置と光通信を行う局側終端装置であって、
光信号を送信する光送信器と、
前記複数の加入者側装置の各々から、前記光送信器で送信した光信号の受光電力を示す受光電力情報を受信する光受信器と、を備え、
前記光送信器は、
駆動電流に応じた光を発光する発光素子と、
前記駆動電流を制御する駆動部と、
入力電流に応じて前記発光素子を加熱又は冷却する熱電素子と、
前記熱電素子の温度を検出温度として検出する温度検出部と、
前記検出温度が設定された目標温度となるように、前記入力電流を制御する温度制御部と、
前記目標温度を前記温度制御部に設定する制御部と、
を備え、
前記制御部は、前記目標温度を変更して、前記受光電力情報で示される受光電力を確認することで、前記複数の加入者側装置における全ての受光電力が予め定められた第１閾値以上となる前記目標温度の範囲である目標温度範囲を特定するとともに、当該目標温度範囲内の温度を最適な目標温度として、前記温度制御部に設定すること
を特徴とする局側終端装置。
【請求項２】
前記制御部は、前記目標温度範囲内の温度の内、前記入力電流及び前記駆動電流の総和が最小となる温度を、前記最適な目標温度として特定すること
を特徴とする請求項１に記載の局側終端装置。
【請求項３】
前記局側終端装置の周囲の温度を環境温度として検出する環境温度検出部をさらに備え、
前記制御部は、前記環境温度が前記目標温度範囲に含まれる場合には、前記環境温度を前記目標温度として前記温度制御部に設定し、前記環境温度が前記目標温度範囲に含まれない場合には、前記目標温度範囲の最小値又は最大値を前記目標温度として前記温度制御部に設定するとともに、前記熱電素子が当該設定された目標温度に達するまでの過程で、前記総和が最小となる時点における前記検出温度を、前記最適な目標温度として特定すること
を特徴とする請求項２に記載の局側終端装置。
【請求項４】
前記制御部は、前記熱電素子が前記設定された目標温度に達するまでの過程において、前記駆動電流が予め定められた第２閾値以上となった場合には、前記発光素子への加熱又は冷却を止めるとともに、前記駆動電流が前記第２閾値以上となるまでの間で、前記総和が最小となった時点における前記検出温度を、前記最適な目標温度として特定すること
を特徴とする請求項３に記載の局側終端装置。
【発明の詳細な説明】
【技術分野】
【０００１】
本発明は、局側終端装置に関し、特に、複数の加入者側装置と光通信を行う局側終端装置に関する。
【背景技術】
【０００２】
一般家庭等の加入者宅を対象とした加入者系光ファイバネットワークとして知られるＰＯＮ（Ｐａｓｓｉｖｅ  Ｏｐｔｉｃａｌ  Ｎｅｔｗｏｒｋ）システムは、ＯＬＴ（Ｏｐｔｉｃａｌ  Ｌｉｎｅ  Ｔｅｒｍｉｎａｌ：局側終端装置）に接続された１本の光ファイバを光スプリッタにより分岐して、複数のＯＮＵ（Ｏｐｔｉｃａｌ  Ｎｅｔｗｏｒｋ  Ｕｎｉｔ：加入者側装置）と接続し、複数のユーザで１本の光ファイバを共有する光伝送システムである。ＰＯＮシステムでは、１本の光ファイバを複数のユーザで共有するため、低いファイバ敷設コストでサービスを提供することができる。
【０００３】
ＰＯＮシステムでは、ＯＬＴからＯＮＵへの下り方向通信の場合は、ブロードキャスト方式によって連続的な光信号が伝送され、ＯＮＵからＯＬＴへの上り方向通信の場合は、光信号の衝突を避けるために、時分割方式によって間欠的な光信号（光バースト信号）が伝送される。
【０００４】
更に、伝送容量の増大にともなって、伝送速度が１０Ｇｂｉｔ／ｓでの通信が可能なＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．３ａｖで規定されている１０Ｇ−ＥＰＯＮ（１０Ｇｉｇａｂｉｔ−Ｅｔｈｅｒｎｅｔ  Ｐａｓｓｉｖｅ  Ｏｐｔｉｃａｌ  Ｎｅｔｗｏｒｋ）、及び、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｕｎｉｏｎ  Ｔｅｃｏｍｍｕｎｉｃａｔｉｏｎ  Ｓｔａｎｄａｒｄｉｚａｔｉｏｎ  ｓｅｃｔｏｒ）  Ｇ．９８７で規定されているＸＧ−ＰＯＮが登場している。これらＯＬＴ側の１０Ｇ光送信器には、環境温度の変化に対してＬＤ（Ｌａｓｅｒ  Ｄｉｏｄｅ：発光素子）の温度を一定にして、温度による光送信波長シフトを防ぐ技術が用いられることがある。
【０００５】
一般的には、ＯＬＴ側の光送信器は、ペルチェ素子に代表される電流により発熱及び冷却を行う熱電素子、並びに、その熱電素子を制御するためのＴＥＣ（Ｔｈｅｒｍｏ−Ｅｌｅｃｔｒｉｃ  Ｃｏｏｌｅｒ）コントローラを具備する。このＴＥＣコントローラによる温度制御では、ＬＤの温度をサーミスタ等の温度センサで読み取り、読み取られた温度に対応した電流又は電圧等の情報がＴＥＣコントローラにフィードバックされる。ＴＥＣコントローラは、フィードバックされた情報で示される電流又は電圧等が目標となる温度に対応して一定になるように、ＬＤの温度を制御する。
【０００６】
例えば、このような従来技術としては、特許文献１に記載された光送信器がある。この光送信器は、ＬＤ、駆動回路、温度センサ、ＬＵＴ（Ｌｏｏｋｕｐ  Ｔａｂｌｅ）、補整回路及び制御回路を具備する。補整回路は、温度センサによって検出されたＬＤの温度に応じた補整係数をＬＵＴから取得し、この補整係数によってモニタ信号を補整した補整信号を生成する。制御回路は、補整信号と所定の基準電圧との誤差に基づいて駆動回路の駆動電流を制御する。
【先行技術文献】
【特許文献】
【０００７】
【特許文献１】特開２００７−５９５３７号公報
【発明の概要】
【発明が解決しようとする課題】
【０００８】
一般的にＬＤは、低温では駆動電流が少なく、高温では駆動電流が多くなり、また、温度により発振波長がシフトする等、温度依存性を有する。その温度依存性を解消するため、ペルチェ素子等の熱電素子及びＴＥＣコントローラを用いて温度制御が行われる。
【０００９】
その温度制御では、従来技術のように、ある一定の目標温度Ｔｌｄが決定され、ＬＤの温度がその目標温度Ｔｌｄとなるように制御が行われる。ここで、例えば、目標温度Ｔｌｄを低く設定すると、ＬＤの周囲の環境温度が高温の場合、熱電素子で冷却するため多くの電流が消費される。逆に、目標温度Ｔｌｄを高く設定すると、ＬＤの周囲の環境温度が低温の場合、熱電素子で加熱を行うため、また、ＬＤの周囲の環境温度が高温の場合、ＬＤの駆動電流が増加するため、多くの電流が消費される。
そのため、高温で特性が良い（少ない電流で充分な光出力を得ることのできる）ＬＤが有ったとしても、従来の技術では、ＬＤは、一定の目標温度Ｔｌｄに制御され、無駄な電力が消費されてしまう。
【００１０】
そこで、本発明は、局側終端装置の消費電力を低減することを目的とする。
【課題を解決するための手段】
【００１１】
本発明の一態様に係る局側終端装置は、複数の加入者側装置と光通信を行う局側終端装置であって、光信号を送信する光送信器と、前記複数の加入者側装置の各々から、前記光送信器で送信した光信号の受光電力を示す受光電力情報を受信する光受信器と、を備え、前記光送信器は、駆動電流に応じた光を発光する発光素子と、前記駆動電流を制御する駆動部と、入力電流に応じて前記発光素子を加熱又は冷却する熱電素子と、前記熱電素子の温度を検出温度として検出する温度検出部と、前記検出温度が設定された目標温度となるように、前記入力電流を制御する温度制御部と、前記目標温度を前記温度制御部に設定する制御部と、備え、前記制御部は、前記目標温度を変更して、前記受光電力情報で示される受光電力を確認することで、前記複数の加入者側装置における全ての受光電力が予め定められた第１閾値以上となる前記目標温度の範囲である目標温度範囲を特定するとともに、当該目標温度範囲内の温度を最適な目標温度として、前記温度制御部に設定することを特徴とする。
【発明の効果】
【００１２】
本発明の一態様によれば、熱電素子の目標温度を可変することで、局側終端装置の消費電力を低減することができる。
【図面の簡単な説明】
【００１３】
【図１】実施の形態１に係る光通信システム１００の構成を概略的に示すブロック図である。
【図２】実施の形態１におけるＯＮＵの構成を概略的に示すブロック図である。
【図３】（Ａ）及び（Ｂ）は、ハードウェア構成例を示す概略図である。
【図４】実施の形態１におけるＯＬＴの構成を概略的に示すブロック図である。
【図５】実施の形態１における制御部の構成を概略的に示すブロック図である。
【図６】（Ａ）〜（Ｃ）は、実施の形態１におけるＯＬＴの光送信波長の制御を説明するための概略図である。
【発明を実施するための形態】
【００１４】
実施の形態１．
図１は、実施の形態１に係る光通信システム１００の構成を概略的に示すブロック図である。
光通信システム１００は、複数のＯＮＵ１１０Ａ、１１０Ｂ、１１０Ｃ、・・・と、ＯＬＴ１３０とを備えるＰＯＮシステムである。
複数のＯＮＵ１１０Ａ、１１０Ｂ、１１０Ｃ、・・・の各々を特に区別する必要がない場合には、ＯＮＵ１１０という。
光通信システム１００では、ＯＬＴ１３０が複数のＯＮＵ１１０と光通信を行う。
【００１５】
光通信システム１００では、ＯＬＴ１３０に接続された１つの光ファイバ１０１が、光スプリッタ１０２により、複数の光ファイバ１０３Ａ、１０３Ｂ、１０３Ｃ、・・・に分岐されている。
複数の光ファイバ１０３Ａ、１０３Ｂ、１０３Ｃ、・・・の各々を特に区別する必要がない場合には、光ファイバ１０３という。
【００１６】
図２は、ＯＮＵ１１０の構成を概略的に示すブロック図である。
ＯＮＵ１１０は、ＷＤＭ（Ｗａｖｅｌｅｎｇｔｈ  Ｄｉｖｉｓｉｏｎ  Ｍｕｌｔｉｐｌｅｘｉｎｇ）フィルタ１１１と、バンドパスフィルタ１１２と、受光素子１１３と、発光素子１１４と、制御部１１５とを備える。
【００１７】
ＷＤＭフィルタ１１１は、異なる波長の光を合波したり分離したりする。
バンドパスフィルタ１１２は、特定の波長の光を選択し、透過させる。
受光素子１１３は、ＰＤ（Ｐｈｏｔｏｄｉｏｄｅ）等により構成されている受光部である。
発光素子１１４は、ＬＤ等により構成されている発光部である。
制御部１１５は、ＯＮＵ１１０での処理を制御する。例えば、制御部１１５は、ＳＦＦ−８４７２規格に規定されている光信号の受信電力（受光電力）を測定するＤＤＭ（Ｄｉｇｉｔａｌ  Ｄｉａｇｎｏｓｔｉｃｓ  Ｍｏｎｉｔｏｒｉｎｇ）機能を備えている。そして、制御部１１５は、受光素子１１３での受光電力を示す受光電力情報を生成して、発光素子１１４を介して、ＯＬＴ１３０に送信する。
【００１８】
発光素子１１４からの光信号は、ＷＤＭフィルタ１１１を透過した後、光ファイバ１０３を介して、ＯＬＴ１３０に向けて伝送される。
一方、ＯＬＴ１３０から送信された光信号は、光ファイバ１０３から入り、ＷＤＭフィルタ１１１で反射され、バンドパスフィルタ１１２を通して受光素子１１３にて検出される。
【００１９】
以上に記載された制御部１１５の一部又は全部は、例えば、図３（Ａ）に示されているように、メモリ１０と、メモリ１０に格納されているプログラムを実行するＣＰＵ（Ｃｅｎｔｒａｌ  Ｐｒｏｃｅｓｓｉｎｇ  Ｕｎｉｔ）等のプロセッサ１１とにより構成することができる。このようなプログラムは、ネットワークを通じて提供されてもよく、また、記録媒体に記録されて提供されてもよい。
【００２０】
また、制御部１１５の一部又は全部は、例えば、図３（Ｂ）に示されているように、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の処理回路１２で構成することもできる。
【００２１】
図４は、ＯＬＴ１３０の構成を概略的に示すブロック図である。
ＯＬＴ１３０は、ＯＬＴ光受信器１４０と、環境温度検出部１４１と、ホスト側制御部１４２と、ＯＬＴ光送信器１５０とを備える。
【００２２】
ＯＬＴ光受信器１４０は、光ファイバ１０１からの光信号を受信する光受信器である。例えば、ＯＬＴ光受信器１４０は、各ＯＮＵ１１０から、受光電力情報ＳＩの光信号を受信して、受信された受光電力情報ＳＩをホスト側制御部１４２に与える。
環境温度検出部１４１は、ＯＬＴ１３０の周囲の温度である環境温度を検出する。例えば、環境温度検出部１４１は、通常、トランシーバの制御部として用いられるＭＣＵ（Ｍｉｃｒｏ  Ｃｏｎｔｒｏｌ  Ｕｎｉｔ）等が持っている温度検出機能を用い、環境温度との差分を予め学習することで取得することができる。環境温度検出部１４１は、検出された環境温度を示す環境温度情報ＳＴＩをホスト側制御部１４２に与える。
ホスト側制御部１４２は、ＯＬＴ１３０での処理の全体を制御する。例えば、ホスト側制御部１４２は、受光電力情報ＳＩ及び環境温度情報ＳＴＩをＯＬＴ光送信器１５０に与える。
【００２３】
ＯＬＴ光送信器１５０は、光ファイバ１０１に光信号を送信する光送信器である。
ＯＬＴ光送信器１５０は、ＬＤ１５１と、ＬＤ駆動回路１５２と、熱電素子１５３と、サーミスタ１５４と、ＴＥＣコントローラ１５５と、制御部１６０とを備える。
【００２４】
ＬＤ１５１は、ＬＤ駆動回路１５２から入力される駆動電流ＤＩに応じた光を発光する発光素子である。ＬＤ１５１は、自身の発光パワーを示すモニタ電流ＭＩを、ＬＤ駆動回路１５２及び制御部１６０の少なくとも何れか一方に与える。
ＬＤ駆動回路１５２は、ホスト側制御部１４２から与えられるデータ及びモニタ電流ＭＩに基づき、ＬＤ１５１に入力する駆動電流ＤＩを制御する駆動部である。ＬＤ駆動回路１５２は、自身が設定している駆動電流ＤＩを示す駆動電流情報ＤＩＩを制御部１６０に与える。
【００２５】
熱電素子１５３は、ＴＥＣコントローラ１５５から入力される入力電流ＩＩに応じて、ＬＤ１５１を加熱又は冷却するペルチェ素子等の加熱冷却部である。
サーミスタ１５４は、熱電素子１５３の温度を検出温度として検出する温度検出部である。サーミスタ１５４は、検出された温度を示す検出温度情報ＴＩをＴＥＣコントローラ１５５及び制御部１６０に与える。
ＴＥＣコントローラ１５５は、サーミスタ１５４から与えられる検出温度情報ＴＩで示される検出温度が、制御部１６０から与えられる目標温度情報で示される目標温度Ｔｌｄとなるように、熱電素子１５３に入力する入力電流ＩＩを制御する温度制御部である。なお、ＴＥＣコントローラ１５５は、熱電素子１５３に入力する入力電流ＩＩを示す入力電流情報ＩＩＩを制御部１６０に与える。
【００２６】
制御部１６０は、ＯＬＴ光送信器１５０での処理を制御する。例えば、制御部１６０は、ＴＥＣコントローラ１５５に設定する目標温度Ｔｌｄを変更して、各ＯＮＵ１１０からの受光電力情報ＳＩで示される受光電力を確認することで、全てのＯＮＵ１１０における受光電力が予め定められた閾値（第１閾値）以上となる目標温度Ｔｌｄの範囲である目標温度範囲を特定する。
【００２７】
また、制御部１６０は、特定された目標温度範囲内の温度を最適な目標温度Ｔｌｄとして、ＴＥＣコントローラ１５５に設定する。
ここで、最適な目標温度Ｔｌｄは、熱電素子１５３に入力する入力電流ＩＩ及びＬＤ１５１に入力する駆動電流ＤＩの総和が最小となる温度とすることで、ＯＬＴ光送信器１５０での消費電力が最小となる。
【００２８】
図５は、制御部１６０の構成を概略的に示すブロック図である。
制御部１６０は、伝送路情報算出部１６１と、ＡＰＣ制御部１６２と、Ｔｌｄ調整部１６３とを備える。
【００２９】
伝送路情報算出部１６１は、ホスト側制御部１４２を介して、各ＯＮＵ１１０からの受光電力情報ＳＩを収集し、受光電力情報ＳＩで示される受光電力に基づいて、目標温度Ｔｌｄの範囲である目標温度範囲を特定する。
ＡＰＣ制御部１６２は、ＬＤ１５１からのモニタ電流ＭＩに基づいて、ＬＤ１５１の発光パワーを一定に制御する。また、ＡＰＣ制御部１６２は、ＬＤ駆動回路１５２からの駆動電流情報ＤＩＩをＴｌｄ調整部１６３に与える。
【００３０】
Ｔｌｄ調整部１６３は、ＴＥＣコントローラ１５５に目標温度Ｔｌｄを設定する。Ｔｌｄ調整部１６３は、伝送路情報算出部１６１が目標温度範囲を特定した場合には、この目標温度範囲内において、最適な目標温度Ｔｌｄを特定して、最適な目標温度ＴｌｄをＴＥＣコントローラ１５５に設定する。例えば、Ｔｌｄ調整部１６３は、環境温度情報ＳＴＩ、検出温度情報ＴＩ、入力電流情報ＩＩＩ及び駆動電流情報ＤＩＩに基づいて、最適な目標温度Ｔｌｄを特定する。
具体的には、Ｔｌｄ調整部１６３は、環境温度情報ＳＴＩで示される環境温度が目標温度範囲に含まれる場合には、環境温度を目標温度ＴｌｄとしてＴＥＣコントローラ１５５に設定する。環境温度が目標温度範囲に含まれない場合には、Ｔｌｄ調整部１６３は、目標温度範囲の最小値（環境温度が目標温度範囲よりも低い場合）又は最大値（環境温度が目標温度範囲よりも高い場合）を目標温度ＴｌｄとしてＴＥＣコントローラ１５５に設定する。そして、熱電素子１５３の温度（サーミスタ１５４で検出される検出温度）が設定された目標温度に達するまでの過程で、入力電流ＩＩ及び駆動電流ＤＩの総和が最小となる時点における検出温度を、最適な目標温度Ｔｌｄとして特定する。
【００３１】
以下、具体的に、制御部１６０での処理を説明する。
まず、伝送路情報算出部１６１は、Ｔｌｄ調整部１６３がＴＥＣコントローラ１５５に設定する目標温度Ｔｌｄを変化させて、各ＯＮＵ１１０から送られてくる受光電力情報ＳＩで示される受光電力を確認することで、目標温度範囲を特定する。
【００３２】
例えば、伝送路情報算出部１６１は、Ｔｌｄ調整部１６３に、予め定められた目標温度Ｔｌｄの初期値Ｔｌｄ−ｄから徐々に目標温度Ｔｌｄを上げていき、接続されている全てのＯＮＵ１１０での受光電力が予め定められた閾値以上となる目標温度Ｔｌｄの最大値Ｔｌｄ−ｍａｘを検出する。
具体的には、伝送路情報算出部１６１は、Ｔｌｄ調整部１６３に、予め定められた目標温度Ｔｌｄの初期値Ｔｌｄ−ｄから、予め定められた温度（ΔＴ）上げさせて、サーミスタ1５４からの検出温度情報ＴＩで示される検出温度が目標温度Ｔｌｄに達した場合に、各ＯＮＵ１１０から送られてくる受光電力情報ＳＩを確認して、接続されている全てのＯＮＵ１１０での受光電力が予め定められた閾値以上であるか否かを判断する。全てのＯＮＵ１１０での受光電力が予め定められた閾値以上である場合には、そのときにＴｌｄ調整部１６３に設定した温度を目標温度Ｔｌｄの最大値Ｔｌｄ−ｍａｘとする。また、全てのＯＮＵ１１０での受光電力が予め定められた閾値以上の場合には、伝送路情報算出部１６１は、Ｔｌｄ調整部１６３に、さらに予め定められた温度（ΔＴ）上げさせて、各ＯＮＵ１１０から送られてくる受光電力情報ＳＩを確認する。ＯＮＵ１１０から送られてくる受光電力情報ＳＩで示される何れかの受信電力が予め定められた閾値よりも小さくなるまで、以上の処理を繰り返すことにより、伝送路情報算出部１６１は、目標温度Ｔｌｄの最大値Ｔｌｄ−ｍａｘを特定することができる。
【００３３】
また、例えば、伝送路情報算出部１６１は、Ｔｌｄ調整部１６３に、予め定められた目標温度Ｔｌｄの初期値Ｔｌｄ−ｄから徐々に目標温度Ｔｌｄを下げていき、接続されている全てのＯＮＵ１１０の受光電力が予め定められた閾値以上となる目標温度Ｔｌｄの最小値Ｔｌｄ−ｍｉｎを検出する。
具体的には、伝送路情報算出部１６１は、Ｔｌｄ調整部１６３に、予め定められた目標温度Ｔｌｄの初期値Ｔｌｄ−ｄから、予め定められた温度（ΔＴ）下げさせて、サーミスタ１５４からの検出温度情報ＴＩで示される検出温度が目標温度Ｔｌｄに達した場合に、各ＯＮＵ１１０から送られてくる受光電力情報ＳＩを確認して、接続されている全てのＯＮＵ１１０での受光電力が予め定められた閾値以上であるか否かを判断する。全てのＯＮＵ１１０での受光電力が予め定められた閾値以上である場合には、そのときにＴｌｄ調整部１６３に設定した温度を目標温度Ｔｌｄの最小値Ｔｌｄ−ｍｉｎとする。また、全てのＯＮＵ１１０での受光電力が予め定められた閾値以上である場合には、伝送路情報算出部１６１は、Ｔｌｄ調整部１６３に、さらに予め定められた温度（ΔＴ）下げさせて、各ＯＮＵ１１０から送られてくる受光電力情報ＳＩを確認する。ＯＮＵ１１０から送られてくる受光電力情報ＳＩで示される何れかの受信電力が予め定められた閾値よりも小さくなるまで、以上の処理を繰り返すことにより、伝送路情報算出部１６１は、目標温度Ｔｌｄの最小値Ｔｌｄ−ｍｉｎを特定することができる。
【００３４】
以上の処理により、伝送路情報算出部１６１は、最小値Ｔｌｄ−ｍｉｎ以上、最大値Ｔｌｄ−ｍａｘ以下の範囲を、目標温度範囲とする。なお、伝送路情報算出部１６１は、以上のようにして特定された目標温度範囲を示す目標温度範囲情報をＴｌｄ調整部１６３に与える。
【００３５】
図６（Ａ）〜（Ｃ）は、実施の形態１におけるＯＬＴ１３０の光送信波長の制御を説明するための概略図である。実際のＰＯＮシステムである光通信システム１００では、複数のＯＮＵ１１０が１つのＯＬＴ１３０に接続される。接続されるＯＮＵ１１０は、複数社製の場合がある。このような場合、それぞれのＯＮＵ１１０にて適用されるバンドパスフィルタ１１２の特性が、図６（Ａ）〜（Ｃ）に示されているように、それぞれ異なる。
【００３６】
このため、ＯＮＵ１１０の持つＤＤＭ機能を用い、各ＯＮＵ１１０における受光電力をモニタしながらＯＬＴ光送信器１５０の目標温度Ｔｌｄを変動させることで、ＯＬＴ１３０側の光信号の波長特性が変わり、それぞれのバンドパスフィルタ１１２の特性によって各ＯＮＵ１１０の受光電力も変動する。こうして、ＯＬＴ１３０に接続された全てのＯＮＵ１１０がＯＬＴ１３０からの光信号を受信できるように、伝送路情報算出部１６１は、ある一つのＯＮＵ１１０が受信限界となる受光電力を示すまで目標温度Ｔｌｄを変動させて、目標温度範囲を特定する。
【００３７】
Ｔｌｄ調整部１６３は、伝送路情報算出部１６１が特定した目標温度範囲の中で、消費電力が最低となる目標温度Ｔｌｄを探す。
上記で決定したＴｌｄ許容範囲の中で、最適な目標温度Ｔｌｄを求めるためには、基本的にＯＬＴ光送信器１５０の環境温度に目標温度Ｔｌｄを設定することで、ＴＥＣコントローラ１５５による熱電素子１５３の入力電流ＩＩは最小となる。ＯＬＴ光送信器１５０の環境温度が低い場合、目標温度Ｔｌｄを下げると、ＯＬＴ光送信波長は、短波長側にシフトし、図６では左側に寄ることになる。また、ＬＤ１５１の温度特性は、目標温度Ｔｌｄが下がれば駆動電流ＤＩも少なくてすむため、消費電力低減の効果は高い。逆に、ＯＬＴ光送信器１５０の環境温度が高い場合には、目標温度Ｔｌｄを上げるとＯＬＴ光送信波長は、長波長側にシフトし、図６では右側に寄ることになる。但し、ＬＤ１５１の温度特性は、目標温度Ｔｌｄが上がれば、駆動電流ＤＩを多く必要とする。このため、ＯＬＴ光送信器１５０のＤＤＭ機能にてバイアス電流もモニタしながら最適点を捜す必要がある。
【００３８】
以上の考察から、Ｔｌｄ調整部１６３は、環境温度情報ＳＴＩで示される環境温度が、目標温度範囲にある場合には、目標温度Ｔｌｄとして環境温度を設定する。環境温度が目標温度範囲よりも高い場合には、Ｔｌｄ調整部１６３は、目標温度Ｔｌｄとして目標温度範囲の最大値Ｔｌｄ−ｍａｘを設定する。環境温度が目標温度範囲よりも低い場合には、Ｔｌｄ調整部１６３は、目標温度Ｔｌｄとして目標温度範囲の最小値Ｔｌｄ−ｍｉｎを設定する。
【００３９】
そして、Ｔｌｄ調整部１６３は、ＴＥＣコントローラ１５５が設定された目標温度Ｔｌｄとなるように入力電流ＩＩを調整している過程、言い換えると、熱電素子１５３が設定された目標温度Ｔｌｄに達するまでの過程において、ＡＰＣ制御部１６２から与えられる駆動電流情報ＤＩＩで示される駆動電流ＤＩ及び入力電流情報ＩＩＩで示される入力電流ＩＩの総和を順次算出し、その総和が最も小さい時点の検出温度情報ＴＩで示される検出温度を、最適な目標温度Ｔｌｄ（最終的な目標温度Ｔｌｄ）として、再度ＴＥＣコントローラ１５５に設定する。
【００４０】
なお、Ｔｌｄ調整部１６３は、ＴＥＣコントローラ１５５が設定された目標温度Ｔｌｄとなるように入力電流ＩＩを調整している過程において、駆動電流ＤＩが予め定められた閾値（第２閾値）を超えた場合には、ＴＥＣコントローラ１５５に熱電素子１５３への加熱又は冷却をやめさせるとともに、それまでに算出された総和の内、その総和が最も小さい時点の検出温度情報ＴＩで示される検出温度を、最適な目標温度Ｔｌｄ（最終的な目標温度Ｔｌｄ）として、再度ＴＥＣコントローラ１５５に設定すればよい。
【００４１】
以上に記載されたホスト側制御部１４２、制御部１６０及びＴＥＣコントローラ１５５の一部又は全部は、例えば、図３（Ａ）に示されているように、メモリ１０と、メモリ１０に格納されているプログラムを実行するＣＰＵ等のプロセッサ１１とにより構成することができる。このようなプログラムは、ネットワークを通じて提供されてもよく、また、記録媒体に記録されて提供されてもよい。
【００４２】
また、ホスト側制御部１４２、制御部１６０及びＴＥＣコントローラ１５５の一部又は全部は、例えば、図３（Ｂ）に示されているように、単一回路、複合回路、プログラム化したプロセッサ、並列プログラム化したプロセッサ、ＡＳＩＣ又はＦＰＧＡ等の処理回路１２で構成することもできる。
【００４３】
以上のような制御方式によれば、各社が製造バラツキを吸収するためにもっているバンドパスフィルタ１１２の波長特性のマージンを使って、ＯＬＴ光送信器１５０の低消費電力を図ることができる。言い換えると、ＯＮＵ１１０のバンドパスフィルタ１１２は、ＯＬＴ１３０の光送信波長規格を満足するために、より広い範囲の波長を透過できるフィルタ特性になっている。このため、多少バンドパスフィルタ１１２で減衰が生じる部分にまで、目標温度Ｔｌｄを変動させることが可能となる。
【００４４】
実施の形態２．
実施の形態１では、複数のＯＮＵ１１０が異なる会社で製造されていること、又は、複数のＯＮＵ１１０が異なる機種であることを前提とし、バンドパスフィルタ１１２のフィルタ波長特性の差異を用いて、ＯＬＴ光送信器１５０の低消費電力化を図っている。
この点、複数のＯＮＵ１１０が同一機種の場合でも、ＯＬＴ１３０とＯＮＵ１１０間のロスバジェットが小さい伝送路であるときには、伝送路ロスのマージン分も目標温度Ｔｌｄの変動による低消費電力化に寄与させることができる。
言い換えると、接続されるＯＮＵ１１０の数が少なく伝送路の分岐が少ない場合は、分岐カプラによる分岐ロスが低減する。また、伝送距離が短いような場合は、光ファイバ１０３、１０１の伝送ロスが低減する。このような伝送路ロスのマージン分、波長変動が可能となり、目標温度Ｔｌｄを変動させることができる。
即ち、実施の形態２における複数のＯＮＵ１１０として同一機種を用いることで、目標温度範囲を決定する際の受光電力の閾値を、実施の形態１よりも下げることができる。
【符号の説明】
【００４５】
１００  光通信システム、  １０１，１０３  光ファイバ、  １０２  光スプリッタ、  １１０  ＯＮＵ、  １１１  ＷＤＭフィルタ、  １１２  バンドパスフィルタ、  １１３  受光素子、  １１４  発光素子、  １１５  制御部、  １３０  ＯＬＴ、  １４０  ＯＬＴ光受信器、  １４１  環境温度検出部、  １４２  ホスト側制御部、  １５０  ＯＬＴ光送信器、  １５１  ＬＤ、  １５２  ＬＤ駆動回路、  １５３  熱電素子、  １５４  サーミスタ、  １５５  ＴＥＣコントローラ、  １６０  制御部、  １６１  伝送路情報算出部、  １６２  ＡＰＣ制御部、  １６３  Ｔｌｄ調整部、  １０  メモリ、  １１  プロセッサ、  １２  処理回路。
【図１】
2018056735.tif 000003
【図２】
2018056735.tif 000004
【図３】
2018056735.tif 000005
【図４】
2018056735.tif 000006
【図５】
2018056735.tif 000007
【図６】
2018056735.tif 000008